(57)【要約】【課題】室内の空調効果を最適化するために、複数の冷暖房装置および複数の換気装置に対して連動運転が可能な空調システムを構築する。  また、複数の冷暖房装置および複数の換気装置に対する連動運転時、多様なグループ制御が可能な空調システムおよびその制御方法を提供する。【解決手段】少なくとも一つ以上の空間に個別冷暖房機能を行うように設置される冷暖房装置１００と、前記冷暖房装置１００が設置された各空間で換気機能を行うための換気システム２００と、前記冷暖房装置１００および換気システム２００に連結され、冷暖房装置１００と換気システム２００との間の情報を共有することで、空間別に冷暖房機能と換気機能とを連動して制御する中央制御装置３００と、からなる空調システムを構築する。【選択図】図１
2006308280.tif 000002
【特許請求の範囲】
【請求項１】
少なくとも一つ以上の空間に個別冷暖房機能を行うように設置される冷暖房装置と、
前記冷暖房装置が設置された各空間で換気機能を行うための換気システムと、
前記冷暖房装置および換気システムに連結され、冷暖房装置と換気システムとの間の情報共有により、空間別に冷暖房機能と換気機能とを連動して制御する中央制御装置と、を備えることを特徴とする空調システム。
【請求項２】
前記各空間の冷暖房装置は、
少なくとも一つ以上の室内機と、電源線の通信ラインを介して前記室内機に共通して連結され、室内機の動作を制御するための一つの室外機とを備えることを特徴とする請求項１に記載の空調システム。
【請求項３】
前記各空間の冷暖房装置は、
少なくとも一つ以上の室内機と、電源線の通信ラインを介して前記室内機に共通して連結され、室内機の動作を制御するための一つの室外機とを備え、
前記室外機は、中央制御装置との通信を介して、前記中央制御装置の制御信号によって同一空間に設置された室内機の運転を制御することを特徴とする請求項１に記載の空調システム。
【請求項４】
前記各空間の換気システムは、
少なくとも一つ以上の換気装置と、電源線の通信ラインを介して前記換気装置に共通して連結され、換気装置の動作を制御するための一つの制御手段とを備えることを特徴とする請求項１に記載の空調システム。
【請求項５】
前記各空間の換気システムは、
少なくとも一つ以上の換気装置と、電源線の通信ラインを介して前記換気装置に共通して連結され、換気装置の動作を制御するための一つの制御手段とを備え、
前記制御手段は、中央制御装置との通信を介して、前記中央制御装置の制御信号によって同一空間に設置された換気装置の運転を制御することを特徴とする請求項１に記載の空調システム。
【請求項６】
前記中央制御装置は、
前記冷暖房装置および換気システムとのデータ送受信が可能になるように、ネットワーク通信ラインを介して前記冷暖房装置および換気システムにそれぞれ連結されることを特徴とする請求項１に記載の空調システム。
【請求項７】
前記中央制御装置は、
前記冷暖房装置および換気システムとネットワーク通信ラインを介して連結され、各空間別に冷暖房装置および換気システムの運転を連動して制御するための下位中央制御器を備えることを特徴とする請求項１に記載の空調システム。
【請求項８】
前記中央制御装置は、
前記冷暖房装置および換気システムの消費電力を累積するための積算電力システムと、
前記冷暖房装置および換気システムとのネットワーク通信ラインを介して連結され、各空間別に冷暖房装置および換気システムの運転を連動して制御し、前記積算電力システムで累積された積算電力によって冷暖房装置および換気システムの消費電力を制御する下位中央制御器とを備えることを特徴とする請求項１に記載の空調システム。
【請求項９】
前記中央制御装置は、
前記冷暖房装置および換気システムとの通信網を介して有機的に連結され、前記冷暖房装置および換気システムの運転を各空間別に遠隔制御する上位中央制御器と、
前記冷暖房装置および換気システムを通信網を介して前記上位中央制御器と連結するためのゲートウェイとを備えることを特徴とする請求項１に記載の空調システム。
【請求項１０】
前記中央制御装置は、
前記冷暖房装置および換気システムの消費電力を累積するための積算電力システムと、
前記冷暖房装置および換気システムとの通信網を介して有機的に連結され、前記冷暖房装置および換気システムの運転を各空間別に遠隔制御し、前記積算電力システムで累積された積算電力によって冷暖房装置および換気システムの消費電力を制御する上位中央制御器と、
前記冷暖房装置および換気システムを通信網を介して前記上位中央制御器と連結するためのゲートウェイとを備えることを特徴とする請求項１に記載の空調システム。
【請求項１１】
前記通信網は、イーサネット（登録商標）であることを特徴とする請求項９または１０に記載の空調システム。
【請求項１２】
複数の空間に対して少なくとも一つ以上のグループに分けられ、各空間に設置されて冷暖房機能を行う冷暖房装置と、
前記冷暖房装置が設置された各空間に設置し、前記冷暖房装置と同じグループに指定されて該当空間の換気機能を行うための換気システムと、
前記冷暖房装置および換気システムと連結され、冷暖房装置と換気システムとの間の情報共有によりグループ別に冷暖房機能と換気機能とを連動して制御する中央制御装置とを備えることを特徴とする空調システム。
【請求項１３】
前記各グループの冷暖房装置は、
同一グループに指定された少なくとも一つ以上の室内機と、電源線の通信ラインを介して前記室内機に共通して連結され、室内機の動作を制御するための一つの室外機とを備えることを特徴とする請求項１２に記載の空調システム。
【請求項１４】
前記各グループの冷暖房装置は、
同一グループに指定された少なくとも一つ以上の室内機と、電源線の通信ラインを通して前記室内機に共通して連結され、室内機の動作を制御するための一つの室外機とを備え、
前記室外機は、中央制御装置との通信を介して、前記中央制御装置の制御信号によって同一グループに指定された室内機の運転を制御することを特徴とする請求項１２に記載の空調システム。
【請求項１５】
前記各グループの換気システムは、
同一グループに指定された少なくとも一つ以上の換気装置と、電源線の通信ラインを介して前記換気装置に共通して連結され、換気装置の動作を制御するための一つの制御手段とを備えることを特徴とする請求項１２に記載の空調システム。
【請求項１６】
前記各グループの換気システムは、
同一グループに指定された少なくとも一つ以上の換気装置と、電源線の通信ラインを介して前記換気装置に共通して連結され、換気装置の動作を制御するための一つの制御手段とを備え、
前記制御手段は、中央制御装置との通信を介して、前記中央制御装置の制御信号によって同一グループに指定された換気装置の運転を制御することを特徴とする請求項１２に記載の空調システム。
【請求項１７】
前記中央制御装置は、
前記冷暖房装置および換気システムとのデータ送受信が可能になるように、ネットワーク通信ラインを介して前記冷暖房装置および換気システムにそれぞれ連結されることを特徴とする請求項１２に記載の空調システム。
【請求項１８】
前記中央制御装置は、
前記冷暖房装置および換気システムとネットワーク通信ラインを介して連結され、各グループ別に冷暖房装置および換気システムの運転を連動して制御するための下位中央制御器を備えることを特徴とする請求項１２に記載の空調システム。
【請求項１９】
前記中央制御装置は、
前記冷暖房装置および換気システムの消費電力を累積するための積算電力システムと、
前記冷暖房装置および換気システムとのネットワーク通信ラインを通して連結され、各グループ別に冷暖房装置および換気システムの運転を連動して制御し、前記積算電力システムで累積された積算電力によって冷暖房装置および換気システムの消費電力を制御する下位中央制御器とを備えることを特徴とする請求項１２に記載の空調システム。
【請求項２０】
前記中央制御装置は、
前記冷暖房装置および換気システムとの通信網を通して有機的に連結され、前記冷暖房装置および換気システムの運転を各グループ別に遠隔制御する上位中央制御器と、
前記冷暖房装置および換気システムを通信網を介して前記上位中央制御器に連結するためのゲートウェイとを備えることを特徴とする請求項１２に記載の空調システム。
【請求項２１】
前記中央制御装置は、
前記冷暖房装置および換気システムの消費電力を累積するための積算電力システムと、
前記冷暖房装置および換気システムとの通信網を介して有機的に連結され、前記冷暖房装置および換気システムの運転を各グループ別に遠隔制御し、前記積算電力システムで累積された積算電力によって冷暖房装置および換気システムの消費電力を制御する上位中央制御器と、
前記冷暖房装置および換気システムを通信網を介して前記上位中央制御器に連結するためのゲートウェイとを備えることを特徴とする請求項１２に記載の空調システム。
【請求項２２】
前記通信網は、イーサネット（登録商標）であることを特徴とする請求項２０または２１に記載の空調システム。
【請求項２３】
少なくとも一つ以上の冷暖房装置および換気システムが中央制御装置と相互間のデータ送受信が可能になるように連結構成され、複数の空間に対して各空間別に冷暖房装置および換気システムが設置されていて、
前記中央制御装置が、冷暖房装置および換気システムとのデータ通信により情報を共有し、各空間別の冷暖房装置および換気システムに対する運転条件を設定する段階（ａ）と、
前記中央制御装置で設定された運転条件によって、各空間別の冷暖房装置と換気システムとを連動運転するように制御する段階（ｂ）とを備えることを特徴とする空調システムの制御方法。
【請求項２４】
前記（ａ）段階における冷暖房装置および換気システムとのデータ通信は、
前記冷暖房装置および換気システムに連結されるネットワーク通信ラインを介して、該ネットワーク通信ラインに適用される通信プロトコルによって、中央制御装置と冷暖房装置との間、または中央制御装置と換気システムとの間でデータ送受信が行われることを特徴とする請求項２３に記載の空調システムの制御方法。
【請求項２５】
前記（ａ）段階における冷暖房装置および換気システムとのデータ通信は、
前記冷暖房装置および換気システムに連結される通信網を介して、該通信網に適用される通信プロトコルによって、中央制御装置と冷暖房装置との間、または中央制御装置と換気システムとの間でデータ送受信が行われることを特徴とする請求項２３に記載の空調システムの制御方法。
【請求項２６】
前記（ａ）段階における各空間別の冷暖房装置および換気システムに対する運転条件を設定する過程は、
各空間の冷暖房装置から室外温度および室内温度を受信する段階と、
前記受信された室外温度および室内温度を考慮して各空間別の冷暖房装置の風量および換気システムの風量を決定する段階とを備えることを特徴とする請求項２３に記載の空調システムの制御方法。
【請求項２７】
前記（ｂ）段階における各空間別の冷暖房装置と換気システムとを連動運転するように制御する過程は、
前記冷暖房装置および換気システムで前記中央制御装置から設定された各空間別運転条件を受信する段階と、
前記冷暖房装置および換気システムが、自身で制御する空間の運転条件を認識する段階と、
認識した前記運転条件によって冷暖房装置の冷暖房機能および換気システムの換気機能を制御する段階とを備えることを特徴とする請求項２３に記載の空調システムの制御方法。
【請求項２８】
前記中央制御装置で冷暖房装置および換気システムの積算電力を算出し、前記算出された積算電力量によって冷暖房装置および換気システムの消費電力を制御する段階（ｃ）をさらに備えていることを特徴とする請求項２３に記載の空調システムの制御方法。
【請求項２９】
複数の空間に対して少なくとも一つ以上のグループに分けられて各空間に冷暖房装置および換気システムが設置され、前記冷暖房装置および換気システムは、中央制御装置と相互間のデータ送受信が可能になるように連結構成されていて、
前記中央制御装置が、冷暖房装置および換気システムとのデータ通信により情報を共有し、各グループ別の冷暖房装置および換気システムに対する運転条件を設定する段階（ａ）と、
前記中央制御装置で設定された運転条件によって各グループ別の冷暖房装置と換気システムとを連動運転するように制御する段階（ｂ）とを備えることを特徴とする空調システムの制御方法。
【請求項３０】
前記（ａ）段階における冷暖房装置および換気システムとのデータ通信は、
前記冷暖房装置および換気システムに連結されるネットワーク通信ラインを介して、該ネットワーク通信ラインに適用される通信プロトコルによって、中央制御装置と冷暖房装置との間、または中央制御装置と換気システムとの間でデータ送受信が行われることを特徴とする請求項２９に記載の空調システムの制御方法。
【請求項３１】
前記（ａ）段階における冷暖房装置および換気システムとのデータ通信は、
前記冷暖房装置および換気システムに連結される通信網を介して、該通信網に適用される通信プロトコルによって、中央制御装置と冷暖房装置との間、または、中央制御装置と換気システムとの間でデータ送受信が行われることを特徴とする請求項２９に記載の空調システムの制御方法。
【請求項３２】
前記（ａ）段階における各グループ別の冷暖房装置および換気システムに対する運転条件を設定する過程は、
各グループの冷暖房装置から室外温度および室内温度を受信する段階と、
前記受信された室外温度および室内温度を評価して各グループ別の冷暖房装置の風量および換気システムの風量を決定する段階とを備えることを特徴とする請求項２９に記載の空調システムの制御方法。
【請求項３３】
前記（ｂ）段階における各グループ別の冷暖房装置と換気システムとを連動運転するように制御する過程は、
前記冷暖房装置および換気システムで前記中央制御装置から設定された各グループ別運転条件を受信する段階と、
前記冷暖房装置および換気システムが、自身で制御するグループの運転条件を認識する段階と、
認識した前記運転条件によって、冷暖房装置の冷暖房機能および換気システムの換気機能を制御する段階とを備えることを特徴とする請求項２９に記載の空調システムの制御方法。
【請求項３４】
前記中央制御装置で冷暖房装置および換気システムの積算電力を算出し、算出された積算電力量によって冷暖房装置および換気システムの消費電力を制御する段階（ｃ）をさらに備えていることを特徴とする請求項２９に記載の空調システムの制御方法。
【発明の詳細な説明】
【技術分野】
【０００１】
本発明は、空調システムに関し、特に一つまたは複数の冷暖房装置および一つまたは複数の換気装置との間の連動運転のための空調システムおよびその制御方法に関するものである。
【背景技術】
【０００２】
一般に、空調システムは、住居空間、事務室などの室内空間を冷房または暖房するためのシステムである。
【０００３】
最近、多世帯住宅および大型の高層建物が増加するにつれて、これら建物の空調環境を管理するための空調システムの研究開発が急速に行われており、そのうち、マルチ空調システムの供給が増加している。
【０００４】
かかるマルチ空調システムは、一台の室外機に複数台の室内機が連結され、各室内機が各々の室内に設置される構造となっている。
【０００５】
すなわち、上記マルチ空調システムでは、室外機を共用しながら、必要に応じて複数の室内機を冷房用または暖房用として動作させ、各室内空間の空気調和を行っている。
【０００６】
一方、密閉空間の空気は、人の呼吸の繰り返しによって、時間の経過とともに二酸化炭素の含有量が高くなるので、特に、複数の人が狭い空間に集まる事務室や車両などの場合、室内の汚染空気を室外の新鮮な空気に入れ替えるための換気装置が多く用いられる。
【０００７】
換気装置は、室内と室外とを連結する換気ダクトと、この換気ダクトの管路に設置されて室内空気および室外空気を強制に送風する送風ファンと、を含んでいる。この換気装置は、汚染された室内空気を室外側に排出するとともに、新鮮な室外空気を室内側に吸入する過程を繰り返す。
【０００８】
しかしながら、室内で冷房および換気作動が同時に行われる場合、冷房された室内空気が排気されるとともに、暑い室外空気が吸入されることで、室内空気の温度が相対的に冷房温度より上昇し冷房効率が低下する。
【０００９】
これと同様に、室内で暖房および換気作動が同時に行われる場合、冷たい室外空気が吸入されることで、室内温度が暖房温度より低くなり暖房効率が低下する。
【００１０】
上述した冷／暖房装置および換気装置からなる空調システムの場合、室内の冷／暖房機能と室内の換気機能とが互いに連動されず個別的に制御されるため、エネルギー消耗による効率および室内の空調効果が低下するという問題があった。
【００１１】
上記の問題を解決するための空調システムでは、冷／暖房装置のユーザの制御手段と換気装置のユーザの制御手段とを、通信ケーブルを用いる連結構成にしている。このことで、相互間の情報送受信による連動運転を可能としている。
【００１２】
ここで、連動運転とは、冷暖房装置と換気装置との間の情報を共有し、冷暖房運転条件を評価して換気装置の動作条件を判断し、換気運転条件を評価して冷暖房装置の動作条件を判断することであり、前記連動運転によって、最適な換気および冷暖房運転を制御できるようになる。
【発明の開示】
【発明が解決しようとする課題】
【００１３】
しかしながら、冷暖房装置と換気装置との連動運転は、一対一に連結構成された場合はシステム構築に何らの問題もないが、複数の冷暖房装置および複数の換気装置からなる空調システムの場合、その制御が困難であるとともに、通信の複雑性によってシステム構築に限界があるという問題があった。
【００１４】
本発明は上記の問題点を解決するためのもので、その目的は、室内の空調効果を最適化するために、複数の冷暖房装置および複数の換気装置に対して連動運転が可能な空調システムを構築することにある。
【００１５】
また、複数の冷暖房装置および複数の換気装置に対する連動運転時において、多様なグループ制御が可能な空調システムおよびその制御方法を提供することにある。
【課題を解決するための手段】
【００１６】
上記目的を達成するための本発明に係る空調システムは、
少なくとも一つ以上の空間に個別冷暖房機能を行うように設置される冷暖房装置と、
上記冷暖房装置が設置された各空間で換気機能を行うための換気システムと、
上記冷暖房装置および換気システムに連結され、冷暖房装置と換気システムとの間の情報共有により、空間別に冷暖房機能と換気機能とを連動して制御するための中央制御装置とを備える。
【００１７】
また、上記目的を達成するための本発明に係る空調システムは、
複数の空間に対して少なくとも一つ以上のグループに分けられ、各空間に設置されて冷暖房機能を行う冷暖房装置と、
上記冷暖房装置が設置された各空間に設置し、上記冷暖房装置と同じグループに指定されて該当空間の換気機能を行うための換気システムと、
上記冷暖房装置および換気システムと連結され、冷暖房装置と換気システムとの間の情報共有によりグループ別に冷暖房機能と換気機能とを連動して制御するための中央制御装置とを備える。
【００１８】
また、上記目的を達成するための本発明に係る空調システムの制御方法は、
少なくとも一つ以上の冷暖房装置および換気システムが中央制御装置と相互間のデータ送受信が可能になるように連結構成され、複数の空間に対して各空間別に冷暖房装置および換気システムが設置されており、
上記中央制御装置が冷暖房装置および換気システムとのデータ通信により情報を共有し、各空間別の冷暖房装置および換気システムに対する運転条件を設定する段階（ａ）と、
上記中央制御装置で設定された運転条件によって、各空間別の冷暖房装置と換気システムとを連動運転するように制御する段階（ｂ）とを備える。
【００１９】
また、上記目的を達成するための本発明に係る空調システムの制御方法は、
複数の空間に対して少なくとも一つ以上のグループに分けられて各空間に冷暖房装置および換気システムが設置され、上記冷暖房装置および換気システムは、中央制御装置と相互間のデータ送受信が可能になるように連結構成されており、
上記中央制御装置で冷暖房装置および換気システムとのデータ通信により情報を共有し、各グループ別の冷暖房装置および換気システムに対する運転条件を設定する段階（ａ）と、
上記中央制御装置で設定された運転条件によって各グループ別の冷暖房装置と換気システムとを連動運転するように制御する段階（ｂ）とを備える。
【発明の効果】
【００２０】
本発明に係る空調システムおよび制御方法においては、複数の冷暖房装置および複数の換気装置に対する連動運転を中央制御装置にて制御する空調システムを実現できるという効果がある。
【００２１】
また、各空間の冷暖房装置と換気装置とを連動運転することで、室内空気の質を向上して空調システムの空調効率を極大化できるという効果がある。
【発明を実施するための最良の形態】
【００２２】
本発明の他の目的、特性および利点は、図面に基づいた各実施形態の詳細な説明によって明らかになるだろう。
【００２３】
以下、本発明に係る空調システムおよびその制御方法の好適な実施形態について、添付の図面に基づいて詳細に説明する。
【００２４】
図１および図２は、本発明に係る空調システムに対する構築状態を示した図で、以下、本発明に係る空調システムに対し、図１および図２に基づいて説明する。
【００２５】
図示したように、本発明に係る空調システムでは、複数の冷暖房装置１００および複数の換気システム２００がネットワーク通信ラインを介して中央制御装置３００に連結され、中央制御装置３００によって冷暖房装置１００と換気システム２００との間の連動運転が制御される。
【００２６】
すなわち、少なくとも一つ以上の室内機１１０と、これを制御するための一つの室外機１３０とが、通信可能に連結される冷暖房装置を複数構成する。少なくとも一つ以上の換気装置２１０と、これを制御するための一つの制御手段２３０，２５０および２５０’とが、通信可能に連結される換気システムを複数構成する。また、上記冷暖房装置１００と換気システム２００との間の連動運転を制御するための中央制御装置３００を、上記冷暖房装置１００および換気システム２００と通信可能にして連結構成とする。
【００２７】
ここで、上記冷暖房装置１００がマルチタイプおよび多圧縮機タイプである場合、一つの室外機に複数の室内機が連結して構成される。
【００２８】
また、上記冷暖房装置１００がパッケージタイプ（ｐａｃｋａｇｅ  ａｉｒ  ｃｏｎｄｉｔｉｏｎｅｒ、ＰＡＣ）および壁装着タイプ（ｒｏｏｍ  ａｉｒ  ｃｏｎｄｉｔｉｏｎｅｒ、ＲＡＣ）である場合、室外機と室内機とが一対一に連結して構成される。
【００２９】
このとき、上記冷暖房装置１００内の室内機１１０および室外機１３０は、電源線を利用する通信ライン１５０を介して連結されるので、室内機１１０と室外機１３０との間のデータ送受信が可能である。
【００３０】
上記の構成により、上記室外機１３０は、自身に連結される全ての室内機１１０の室内情報を共有し、この共有情報を中央制御装置３００に送信するとともに、上記中央制御装置３００から出力される運転制御信号を受信することによって、連結される室内機１１０を制御するようになる。
【００３１】
また、上記換気システム２００は、複数個の換気装置２１０をグループ制御できるグループ制御器２３０と、一つ以上のグループ制御器２３０とのデータ伝達を行うメーン制御器２５０と、から構成される。
【００３２】
さらに、上記換気システム２００は、換気装置２１０を一対一に連結構成して個別に制御できる個別制御器２５０’を備える。
【００３３】
このとき、換気装置２１０とグループ制御器２３０、グループ制御器２３０とメーン制御器２５０、または、換気装置２１０と個別制御器２５０’の各々の組み合わせは、電源線を利用する通信ライン２６０を介して互いに連結構成される。この連結構成により、換気装置２１０と制御手段（グループ制御器、メーン制御器、個別制御器）２３０，２５０，２５０’との間のデータ送受信が可能となる。
【００３４】
上記の構成によると、グループ制御器２３０、メーン制御器２５０および個別制御器２５０’は、自身に連結される全ての換気装置２１０の情報を共有しており、この共有情報を中央制御装置３００に送信するとともに、中央制御装置３００から出力される運転制御信号を受信することによって、連結される換気装置２１０を制御するようになる。
【００３５】
また、中央制御装置３００と冷暖房装置１００との間、または中央制御装置３００と換気システム２００との間で、上記ネットワーク通信ライン５００に適用される通信プロトコルによってデータ送受信が行われる。
【００３６】
すなわち、上記中央制御装置３００は、冷暖房装置１００の室外機１３０および換気システム２００の制御手段２３０，２５０，２５０’から、室内機１１０および換気装置２１０の情報を受信し、該情報を共有することができる。該情報に基づき、上記中央制御装置３００は、室内機１１０と換気装置２１０との連動運転を制御することができる。
【００３７】
上記冷暖房装置１００と換気システム２００との連動運転を制御するにおいて、上記室内機１１０および換気装置２１０を一つの空間（ｚｏｎｅ）に少なくとも一台以上設置するので、空間別に各空間に設置された室内機１１０と換気装置２１０とを連動運転することができる。また、複数の室内機１１０および換気装置２１０をグループに分け、各グループ別に同一グループに属した室内機１１０と換気装置２１０とを連動運転することができる。
【００３８】
このように、同一空間または同一グループ別に室内機１１０と換気装置２１０とを連動運転させると、室内空気の質を効果的に向上させることができる。
【００３９】
また、上記中央制御装置３００は、イーサネット（登録商標）３１１を介して冷暖房装置１００または換気システム２００と有機的に連結される。そのために、上記中央制御装置３００は、上記冷暖房装置１００と換気システム２００との連動運転を遠隔制御する上位中央制御器３１０と、イーサネット（登録商標）３１１を介して上位中央制御器３１０と接続するイーサネット（登録商標）ゲートウェイ３１３とを備える。また、イーサネット（登録商標）ゲートウェイ３１３は、ネットワーク通信ライン５００を介して、上記冷暖房装置１００または換気システム２００と連結する。
【００４０】
一方、上記中央制御装置３００は、冷暖房装置１００および換気システム２００とネットワーク通信ライン５００を介して直接的に連結される下位中央制御器３３０を備える。この下位中央制御器３３０は、上記冷暖房装置１００または換気システム２００の運転を制御する。
【００４１】
例えば、室外機が１６室の室内機情報を有する場合、１６室制御用の下位中央制御器３３０により、１６室の室内機を制御することができる。
【００４２】
また、上記中央制御装置３００は、通信可能に連結された全ての室内機１１０または換気装置２１０の消費電力を把握し、各室内機１１０または換気装置２１０の電力を制御するための積算電力システム３５０をさらに備えている。
【００４３】
上記の構成によると、上記中央制御装置３００では、冷暖房装置１００と換気システム２００との間のネットワーク通信を通して、全ての室内機１１０および換気装置２１０の電力に対する中央制御が可能である。
【００４４】
以下、このように構成された本発明に係る空調システムにおける冷暖房装置１００と換気システム２００との連動運転制御方法の実施形態を説明する。
【００４５】
図３は、夏季における空調システムの連動運転制御方法を示したフローチャートである。
【００４６】
本発明に係る空調システムの中央制御装置３００は、冷暖房装置１００および換気システム２００とのデータ送受信が可能になるように、冷暖房装置１００および換気システム２００にネットワーク通信ライン５００を通して連結して構成される。
【００４７】
図示したように、上記中央制御装置３００は、全ての室外機１３０から現在の室外温度を周期的に受信し、各空間に設置された室内機１１０から室内温度を上記室外機１３０を介して周期的に受信する（Ｓ１０）。
【００４８】
このとき、上記中央制御装置３００は、室外機１３０から受信した室外温度および各空間の室内温度レベルに基づいて、各空間に対する室内機１１０と換気装置２１０との連動運転を制御するための運転制御信号を出力する。
【００４９】
次いで、上記中央制御装置３００から出力された運転制御信号は、ネットワーク通信を介して冷暖房装置１００の室外機１３０および換気システム２００の制御手段２３０，２５０，２５０’に伝送される。上記室外機１３０および制御手段２３０，２５０，２５０’は、中央制御装置２００から伝送された運転制御信号によって該当の室内機１１０および換気装置２１０の運転を制御する。
【００５０】
すなわち、上記室外機１３０から受信された室外温度レベルを評価し（Ｓ１２）、現在の室外温度が既に設定された第１の室外設定温度Ｔ１以上に高い場合、室内機１１０の室内温度レベルを評価する（Ｓ１４）。
【００５１】
現在の室外温度が第１の室外設定温度Ｔ１以上に高く、特定空間の室内温度が第１の室内設定温度Ｃ１以上に高い場合、該当空間の室内温度を迅速に下げるために換気装置２１０を停止させ、室内機１１０の風量（冷風）を‘強風’に設定する（Ｓ１６）。
【００５２】
一方、現在の室外温度が第１の室外設定温度Ｔ１以上に高いが、室内温度が第１の室内設定温度Ｃ１より低く、第２の室内設定温度Ｃ２より高い場合、該当空間の換気装置２１０を‘弱風’に設定し、室内機１１０を‘中間’に設定する（Ｓ１８、Ｓ２０）。
【００５３】
そして、現在の室外温度が第１の室外設定温度Ｔ１以上に高いが、室内温度が第２の室内設定温度Ｃ２より低い場合、該当空間の換気装置２１０を‘中間’に設定し、室内機１１０を‘弱風’に設定する（Ｓ２２）。
【００５４】
一方、現在の室外温度が第１の室外設定温度Ｔ１より低く、第２の室外設定温度Ｔ２より高い場合、特定空間の室内温度が第１の室内設定温度Ｃ１より低く、第２の室内設定温度Ｃ２より高いと、該当空間の換気装置２１０を‘弱風’に設定し、室内機１１０を‘中間’に設定する（Ｓ２４〜Ｓ２８）。
【００５５】
そして、現在の室外温度が第１の室外設定温度Ｔ１より低く、第２の室外設定温度Ｔ２より高い場合、室内温度が第２の室内設定温度Ｃ２より低いと、該当空間の換気装置２１０を‘中間’に設定し、室内機１１０を‘弱風’に設定する（Ｓ３０）。
【００５６】
そして、現在の室外温度が第２の室外設定温度Ｔ２以下に低い場合、該当空間の室内温度を維持するために換気装置２１０を‘強風’に設定し、室内機１１０を停止させる（Ｓ３２）。
【００５７】
このように、夏季の換気装置２１０と室内機１１０との連動運転を制御するにおいて、周期的に全ての室外機１３０から現在の室外温度を、全ての室内機１１０から室内温度を受信し、室外温度および室内温度によって換気装置２１０および室内機１１０の運転条件を再設定する。
【００５８】
このような空間別の制御を実行するために、各空間に設置された冷暖房装置１００および換気システム２００に空間別の相異なる固有コードを与える。この与えた固有コードを用いて中央制御装置３００とのデータ送受信が行われ、冷暖房機能および換気機能に対する空間別の連動制御が可能となる。
【００５９】
一方、冷暖房装置１００および換気システム２００が設置された複数の空間を少なくとも一つ以上のグループに区分し、室内機１１０と換気装置２１０との連動運転をグループ別に制御できる。
【００６０】
これは、各空間に設置された冷暖房装置１００および換気システム２００を空間によってグループに区分し、各グループによって相異なる固有コードを与えることで、前記与えた固有コードを用いてグループ別の連動制御を実現できる。
【００６１】
図４は、冬季における空調システムの連動運転制御方法を示したフローチャートである。
【００６２】
図示したように、上記中央制御装置３００は、全ての室外機１３０から現在の室外温度を周期的に受信し、各空間に設置された室内機１１０から室内温度を周期的に受信する（Ｓ５０）。
【００６３】
このとき、上記中央制御装置３００は、室外機１３０から受信した室外温度および各空間の室内温度レベルに基づいて、各空間に対する室内機１１０と換気装置２１０との連動運転を制御するための運転制御信号を出力する。
【００６４】
上記中央制御装置３００から出力された運転制御信号は、ネットワーク通信を介して冷暖房装置１００の室外機１３０および換気システム２００の制御手段２３０，２５０，２５０’に伝送される。上記室外機１３０および制御手段２３０，２５０，２５０’は、中央制御装置３００から伝送された運転制御信号によって該当の室内機１１０および換気装置２１０の運転を制御する。
【００６５】
すなわち、上記室外機１３０から受信された室外温度レベルを評価し（Ｓ５２）、現在の室外温度が第１の室外設定温度Ｔ１１以下に低い場合、室内機１１０の室内温度レベルを評価する（Ｓ５４）。
【００６６】
現在の室外温度が第１の室外設定温度Ｔ１１以下に低く、特定空間の室内温度が第１の室内設定温度Ｈ１以下に低い場合、該当空間の室内温度を迅速に上げるために換気装置２１０を停止させ、室内機１１０の風量（温風）を‘強風’に設定する（Ｓ５６）。
【００６７】
一方、現在の室外温度が第１の室外設定温度Ｔ１１以下に低いが、室内温度が第１の室内設定温度Ｈ１より高く、第２の室内設定温度Ｈ２より低いと、該当空間の換気装置２１０を‘弱風’に設定し、室内機１１０を‘中間’に設定する（Ｓ５８、Ｓ６０）。
【００６８】
そして、現在の室外温度が第１の室外設定温度Ｔ１１以下に低いが、室内温度が第２の室内設定温度Ｈ２より高いと、該当空間の換気装置２１０を‘中間’に設定し、室内機１１０を‘弱風’に設定する（Ｓ６２）。
【００６９】
一方、現在の室外温度が第１の室外設定温度Ｔ１１より高く、第２の室外設定温度Ｔ２２より低い場合、特定空間の室内温度が第１の室内設定温度Ｈ１より高く、第２の室内設定温度Ｈ２より低いと、該当空間の換気装置２１０を‘弱風’に設定し、室内機１１０を‘中間’に設定する（Ｓ６４〜Ｓ６８）。
【００７０】
そして、現在の室外温度が第１の室外設定温度Ｔ１１より高く、第２の室外設定温度Ｔ２２より低い場合、室内温度が第２の室内設定温度Ｈ２より高いと、該当空間の換気装置２１０を‘中間’に設定し、室内機１１０を‘弱風’に設定する（Ｓ７０）。
【００７１】
そして、現在の室外温度が第２の室外設定温度Ｔ２２以上に高い場合、該当空間の室内温度を維持するために換気装置２１０を‘強風’に設定し、室内機１１０を停止させる（Ｓ７２）。
【００７２】
このような空調過程で、周期的に全ての室外機１３０から現在の室外温度を受信し、各空間別の室内機１１０から室内温度を受信した後、室外温度および室内温度によって室内機１１０および換気装置２１０の運転条件を再設定する。
【００７３】
このような空間別制御によると、各空間に設置された冷暖房装置１００および換気システム２００に空間別に相異なる固有コードを与えることで、前記与えた固有コードを用いて中央制御装置３００とのデータ送受信が行われ、冷暖房機能および換気機能に対する空間別の連動制御が可能である。
【００７４】
一方、冷暖房装置１００および換気システム２００が設置された複数の空間を少なくとも一つ以上のグループに区分し、室内機１１０と換気装置２１０との連動運転をグループ別に制御できる。
【００７５】
これは、各空間に設置された冷暖房装置１００および換気システム２００を空間によってグループに区分し、各グループによって相異なる固有コードを与えることで、前記与えた固有コードを用いてグループ別の連動制御を実現できる。
【００７６】
したがって、本発明は、複数の冷暖房装置１００および換気システム２００をネットワーク通信ライン５００を介して中央制御装置３００に連結構成することで、中央制御装置３００では、複数の冷暖房装置１００および換気システム２００に対する連動運転を制御できる。
【００７７】
また、中央制御装置３００は、複数の室内機１１０情報を有する室外機１３０、および、複数の換気装置２１０情報を有する制御手段２３０，２５０，２５０’とのデータ送受信が可能であり、冷暖房装置１００および換気システム２００に対する個別制御およびグループ別制御が可能である。
【００７８】
以上説明した内容を通して、当業者であれば、本発明の技術思想から逸脱しない範囲で多様な変更および修正が可能であることを理解できるはずである。
【００７９】
したがって、本発明の技術的範囲は、実施形態に記載された内容に限定されるものではなく、特許請求の範囲によって定められるべきである。
【図面の簡単な説明】
【００８０】
【図１】本発明に係る空調システムを概念的に示した図である。
【図２】本発明に係る空調システムにおける冷暖房装置および換気システムの構築状態を示した構成図である。
【図３】本発明に係る空調システムの制御方法における冷房機能と換気機能との連動制御方法を説明するためのフローチャートである。
【図４】本発明に係る空調システムの制御方法における暖房機能と換気機能との連動制御方法を説明するためのフローチャートである。
【符号の説明】
【００８１】
１００    冷／暖房装置
２００    換気システム
３００    中央制御装置
【図１】
2006308280.tif 000003
【図２】
2006308280.tif 000004
【図３】
2006308280.tif 000005
【図４】
2006308280.tif 000006